(57)【要約】【課題】獣類の侵入を防止する侵入防止方法及び緑化構造物の提供。【解決手段】法面２上に、植物を生育するための生育基盤３を形成し、この生育基盤３上に沈下防止部材４を配設する。また、沈下防止部材４が配設された生育基盤３上に金網５を敷設し、生育基盤３と金網５との間に、コイルばね６を配設する。このコイルばね６は、獣類により金網５が踏み込まれた際に、その荷重によって金網５と沈下防止部材４との間で撓み、金網５を浮き沈みさせる。また、沈下防止部材４は、コイルばね６の生育基盤３への沈下を防止する。【選択図】図３
2007104940.tif 000002
【特許請求の範囲】
【請求項１】
植物が生育するための生育基盤と、前記生育基盤に敷設された保護網とを用いた獣類の侵入防止方法であって、
前記敷設した保護網の少なくとも複数箇所を、前記生育基盤への沈下を規制された弾性部材により、前記生育基盤に対して離間するように弾性支持することを特徴とする獣類の侵入防止方法。
【請求項２】
植物が生育する生育基盤の上に保護網を敷設し、その生育基盤と保護網の間に、獣類により前記保護網が踏み込まれた際に、前記保護網を変位させる弾性部材を設けた緑化構造物であって、
前記弾性部材の前記生育基盤側への沈下を規制する沈下防止部材を設けたことを特徴とする緑化構造物。
【請求項３】
請求項２に記載の緑化構造物において、
前記沈下防止部材は、前記弾性部材下面に設置することを特徴とする緑化構造物。
【請求項４】
請求項２又は３に記載の緑化構造物において、
前記弾性部材は、コイルばねであって、前記コイルばねは、前記沈下防止部材とともに、アンカーピンによって、前記生育基盤に固定されていることを特徴とする緑化構造物。
【請求項５】
請求項２〜４のいずれか１項に記載の緑化構造物において、
前記沈下防止部材は、蒲鉾状に形成され、その一部に前記弾性部材を配置するための凹部を備えていることを特徴とする緑化構造物。
【請求項６】
請求項２〜５のいずれか１項に記載の緑化構造物において、
前記沈下防止部材は、木材からなることを特徴とする緑化構造物。
【発明の詳細な説明】
【技術分野】
【０００１】
本発明は、獣類の侵入防止方法及び緑化構造物に関する。
【背景技術】
【０００２】
従来より、丘陵・山腹に形成された法面や、崖地等の傾斜地には、傾斜地の安定化及び景観の向上の目的で緑化工が施されている。この緑化工の一つとして、吹付工が広く用いられている。この吹付工では、傾斜地に養生土、堆肥等の有機物又は肥料等と種子とを吹付けて植物の生育基盤を形成した後、一定の養生期間をおいて、生育基盤に芝、クローバー、よもぎ、又はハギ類等のカバープラントを生育させる。また、この吹付工としては、例えば、その生育基盤の内部又は上面に、マットや網等を張設して傾斜面の安定化を図る工法がある（例えば、特許文献１参照）。また、マットに種や肥料を接着して、そのマットを法面に敷設する人工芝を用いる工法もある。
【０００３】
このような緑化工が施工された緑化構造物では、カモシカ、ニホンジカ等の偶蹄目類に代表される獣類による被害が問題となっている。つまり、それらの獣類が緑化構造物に侵入すると、緑化工により傾斜地に根付いた植物が踏み荒らされて衰退し、傾斜地が不安定な状態になる。また、それらの獣類は、生育基盤に生育した植物を好んで食べることが知られている。特に偶蹄目類等の獣類は、植物を根こそぎ剥ぎ取って採食する等して、傾斜面に生育する植物を減少させる。このような食害が進行すると、地盤が露出し、崩壊又は滑落が発生しやすくなって、緑化工の効果が消滅してしまう。
【０００４】
この問題に対し、生育基盤上に張設された保護網を弾性支持する緑化構造物が提案されている（特許文献２参照）。この緑化構造物では、獣類が保護網の上を歩いて侵入を試みた際に、保護網がその獣類の動作に追従して浮き沈み（変位）し、歩きづらい状態にする。従って、獣類が警戒して保護網に侵入しにくくなるため、緑化構造物の踏み荒らし、食害を防止できる。
【特許文献１】特開２０００−０６４２９４号公報
【特許文献２】特開２００５−１３７２５８号公報
【発明の開示】
【発明が解決しようとする課題】
【０００５】
ところが、生育基盤と網との間にコイルばね等の弾性部材を介在させた場合、網又は獣類の荷重により、弾性部材が生育基盤に沈下してしまう問題があった。弾性部材が生育基盤に沈下すると、獣類が保護網を踏んだ際に弾性部材の撓み量が小さくなり、保護網の変位量が小さくなる可能性がある。このため、弾性部材が生育基盤に沈下してしまうと、獣類の侵入防止効果を充分に発揮できなくなる虞がある。
【０００６】
本発明は、上記問題点に鑑みてなされたものであり、その目的は、獣類の侵入を防止する侵入防止方法及び緑化構造物を提供することにある。
【課題を解決するための手段】
【０００７】
上記問題点を解決するために、請求項１に記載の発明は、植物が生育するための生育基盤と、前記生育基盤に敷設された保護網とを用いた獣類の侵入防止方法であって、前記敷設した保護網の少なくとも複数箇所を、前記生育基盤への沈下を規制された弾性部材により、前記生育基盤に対して離間するように弾性支持することを要旨とする。
【０００８】
請求項２に記載の発明は、植物が生育する生育基盤の上に保護網を敷設し、その生育基
盤と保護網の間に、獣類により前記保護網が踏み込まれた際に、前記保護網を変位させる弾性部材を設けた緑化構造物であって、前記弾性部材の前記生育基盤側への沈下を規制する沈下防止部材を設けたことを要旨とする。
【０００９】
請求項３に記載の発明は、請求項２に記載の緑化構造物において、前記沈下防止部材は、前記弾性部材下面に設置することを要旨とする。
請求項４に記載の発明は、請求項２又は３に記載の緑化構造物において、前記弾性部材は、コイルばねであって、前記コイルばねは、前記沈下防止部材とともに、アンカーピンによって、前記生育基盤に固定されていることを要旨とする。
【００１０】
請求項５に記載の発明は、請求項２〜４のいずれか１項に記載の緑化構造物において、前記沈下防止部材は、蒲鉾状に形成され、その一部に前記弾性部材を配置するための凹部を備えていることを要旨とする。
【００１１】
請求項６に記載の発明は、請求項１〜５のいずれか１項に記載の緑化構造物において、前記沈下防止部材は、木材からなることを要旨とする。
【発明の効果】
【００１２】
請求項１又は２に記載の発明によれば、生育基盤の上に敷設された保護網が弾性支持されるので、獣類が保護網の上を歩いて緑化構造物に侵入を試みた際に、その保護網が獣類の動作に追従して浮き沈み（変位）する。従って、獣類は警戒して保護網上に侵入しなくなるため、獣類により生育基盤に生育した植物が採食される、いわゆる食害や、生育基盤又は生育基盤に生育した植物の踏み荒らしを防止できる。さらに、弾性部材は、生育基盤に対する沈下が防止されている。このため、獣類により保護網が踏み込まれた際に、弾性部材の撓み量を大きくして、保護網を充分に浮き沈みさせることができる。
【００１３】
請求項３に記載の発明によれば、沈下防止部材は、弾性部材下面に設置される。このため、施工の煩雑化を防止できる。
請求項４に記載の発明によれば、コイルバネは、アンカーピンによって、沈下防止部材とともに生育基盤に固定される。このため、コイルバネ及び沈下防止部材の生育基盤に対する位置ずれを防止できる。
【００１４】
請求項５に記載の発明によれば、沈下防止部材は、蒲鉾状に形成され、その一部に凹部を備えている。このため、例えば間伐丸太材を用いて、少ない製造工程で、沈下防止部材を製造することができる。
【００１５】
請求項６に記載の発明によれば、沈下防止部材は、木材からなる。このため、沈下防止部材の一部が破損しても、その破損した木材を土壌に還元することができるので、環境に負荷を与えない。
【発明を実施するための最良の形態】
【００１６】
以下、本発明を具体化した一実施形態を図１〜図５に従って説明する。図１は、緑化工を完了した傾斜面を有する地山の説明図である。図２は、同地山の部分側面図、図３は、図２におけるＡ−Ａ線における地山の断面を示している。図４及び図５は、沈下防止部材の斜視図及び平面図である。
【００１７】
本実施形態の緑化工では、まず、地山１に形成された法面２に対して混練物を吹付けて、図３に示す生育基盤３を形成する（第１工程）。混練物は、培土、バーク堆肥等の肥料、接合剤、及び種子等を混合して作成する。そして、この混練物をスクイズポンプ又は圧縮空気等を使用して法面２（図３参照）に吹付ける。混練物に混合された接合剤は、培土
・肥料等を互いに固着させる機能を備え、混練物が雨風に晒されても法面２から流出する混練物の量を最小限にする。
【００１８】
法面２に吹付けられた混練物は、法面２に沿って造成して図３に示す生育基盤３を形成する。生育基盤３は、少なくとも法面２上に植物が生育できるだけの厚みを有している。具体的には、生育基盤３は、１０〜１００ｍｍの厚みになっている。
【００１９】
生育基盤３を形成すると、生育基盤３の上に、沈下防止部材４を配置する（第２工程）。図４に示すように、沈下防止部材４は、間伐丸太材を縦方向に半分に割って形成され、断面半月状の蒲鉾状を成している。その幅（図中ｘ軸方向の長さ）は、約４００ｍｍ、高さ（図中ｚ軸方向の長さ）は７０〜１００ｍｍになっている。また、沈下防止部材４の略中央部には、外周面４ａ側から底面４ｄ側に向って、凹部４ｂが切削されている。凹部４ｂの底面４ｃは、沈下防止部材４の底面４ｄと平行に形成され、その幅（ｘ軸方向の長さ）は、６０〜１２０ｍｍ、奥行き（ｙ軸方向の長さ）は、６０〜１００ｍｍ、深さ（ｚ軸方向の長さ）は、２０〜７０ｍｍになっている。即ち、凹部４ｂは、後述するコイルばね６の外径よりも若干大きくなるように形成され、深さはコイルばね６の高さよりも短くなるように形成されている。
【００２０】
また、沈下防止部材４の外周面４ａのうち、横側から切削して凹部４ｂを形成するので、凹部４ｂの奥行き方向（図４中ｙ方向）の２箇所は、開口状態になっている。この凹部４ｂが形成されることにより、沈下防止部材４の中央部には、コイルばね６を配設するための台座４ｅが形成される。また、台座４ｅの中央から図４中ｙ軸方向に若干偏倚した位置には、アンカーピンＰを打ち込みやすくするための孔（図示省略）が形成されている。
【００２１】
この沈下防止部材４は、図２及び図３に示すように、その底面４ｄを法面２に向けて、その長手方向（幅方向）が、法面２の水平方向（図２中Ｘ方向）と平行になるように配設される。また、沈下防止部材４は、法面２の１平方メートルに対して１個の割合で配置される。このとき、法面２の傾斜角が大きく、沈下防止部材４が法面２から滑落しやすい場合等には、図示しないピンによって一時固定するようにしてもよい。
【００２２】
沈下防止部材４を配置すると、沈下防止部材４が配置された生育基盤３の上に保護網としての金網５を敷設し、金網５を法面２に対して固定する（第３工程）。金網５は、亜鉛メッキ、アルミニウム合金塗装を施した鉄製の金網であって光沢を有している。また、金網５は、図２に示すように、例えば菱形の網目をなすように編み込まれており、各網目の交点部は溶着されていない。また、金網５を構成する鉄線は、線径が１．６〜３．２ｍｍになっている。この線径が１．６ｍｍ未満だと、例えば、ニホンジカ等の成獣の体重（５０〜８０ｋｇ）により変形してしまう。また、線径が３．２ｍｍ超である場合、地山の凹凸に合わせた施工が難しくなる。従って、金網５の線径は上記したように、１．６〜３．２ｍｍの範囲が好適である。
【００２３】
さらに、金網５の各網目の長さＬ１，Ｌ２（図２参照）は、ニホンジカ等の足が嵌らないような大きさとなっている。（尚、金網５が菱形金網である場合は、長さＬ１は長さＬ２に等しい。）具体的には、各網目の長さＬ１，Ｌ２は、それぞれ４０〜６０ｍｍの範囲になっており、各鉄線が、互いに７０〜１１０度の角度をなすように交差させて編み込まれている。ニホンジカ等の足は、その幅が約３０〜５０ｍｍ、長さが約４５〜７５ｍｍ程度であるので、金網５の長さＬ１，Ｌ２が６０ｍｍを超えると、ニホンジカ等の足が嵌る場合が増える傾向にある。逆に、長さＬ１，Ｌ２が４５ｍｍ未満になると、生育基盤３に木本類が生育したとき、幹の肥大とともに金網５がその幹に食い込み、幹折れや病害虫発生の原因となる。
【００２４】
そして、沈下防止部材４及び生育基盤３の上に金網５を広げた後、アンカーピンＰを金網５の上面側から地山１に差し込むように打ち込んで、金網５を法面２に対して固定する。また、アンカーピンＰは、地質状態にもよるが、１平方メートルあたり１〜２本の割合で打ち込む。
【００２５】
金網５を法面２に対して固定すると、弾性部材としてのコイルばね６を、金網５の下の沈下防止部材４の台座４ｅに配設する（第４工程）。コイルばね６は、スチール製であって、通常の亜鉛メッキ、又はアルミニウム合金を混合した亜鉛粉体塗料による塗装を施されている。その結果、コイルばね６は銀白色を呈し、光沢を有するため、金網５の下方に配設しても外部から獣類によって視認されやすくなっている。また、コイルばね６の外形は、５０〜７０ｍｍであって、高さは５０〜１００ｍｍである。さらに、コイルばね６のばね定数は、６〜１０Ｎ／ｍｍである。
【００２６】
コイルばね６を、沈下防止部材４の台座４ｅと金網５との間に配設する際は、金網５を法面２から離すように引張って、コイルばね６を金網５の網目から金網５の下方に通す。そして、図３及び図４に示すように、コイルばね６の中心軸が、沈下防止部材４の台座４ｅ及び金網５に対して垂直になるようにして、沈下防止部材４及び金網５の間に配設する。上記したように、沈下防止部材４の凹部４ｂの深さは、コイルばね６の高さよりも短くなっているので、図３及び図４に示すように、コイルばね６の上端は、沈下防止部材４の外周面４ａから突出した状態になる。尚、凹部４ｂの深さは、コイルばね６の密着高さ（圧縮状態で、互いに隣り合うコイルが密着したときの高さ）以下であることが望ましい。
【００２７】
コイルばね６を沈下防止部材４の台座４ｅに配設すると、図３及び図５に示すように、金網５を、コイルばね６の上端に圧接させる。さらに、図３に示すように、コイルばね６の内側から、沈下防止部材４の台座４ｅに形成した孔に、アンカーピンＰを打ち込んで、コイルばね６及び沈下防止部材４を法面２に対して固定する。また、図５に示すように、アンカーピンＰの先端を、金網５の交点部等に掛止する。これにより、コイルばね６及び沈下防止部材４は、法面２に対して固定されるとともに、金網５に対しても固定される。
【００２８】
その結果、図３に示すように、金網５は、アンカーピンＰが打ち込まれた以外の部分が法面２から約数ｍｍ〜１５０ｍｍほど離間した状態になる。そして、金網５の上から荷重が加えられると、その荷重によりコイルばね６が圧縮して、金網５が下降（変位）するようになっている。換言すると、金網５は、コイルばね６により弾性支持される。
【００２９】
これらの工程を経て完成した緑化工基盤７に、生育基盤３から植物が生育する前において、ニホンジカ等の偶蹄目に代表される獣類が侵入する場合、ニホンジカ等は金網５を踏みこむ。このとき、金網５にニホンジカ等の体重が加わることによってコイルばね６が圧縮し、ニホンジカ等が動くたびにその撓み量が変化するため、金網５はコイルばね６の弾性変形に従って浮き沈み（変位）する。これにより、ニホンジカ等は弾性力を感じ、違和感を覚える。また、ニホンジカ等にとっては、足元が不安定になって歩きづらい状態になる。このような状態では、ニホンジカ等は、警戒してそれ以上侵入しない習性があることがわかっている。このため、金網５に侵入を試みたニホンジカ等は、金網５の端部を踏みこんでも、さらに金網５の内部に侵入して植物が生育する前の生育基盤３を踏み荒らすことがない。
【００３０】
また、コイルばね６は、沈下防止部材４により生育基盤３方向への沈下が抑制されている。さらに、金網５に掛止されるとともに、生育基盤３に打ち込まれたアンカーピンＰにより、コイルばね６及び沈下防止部材４は、法面２に対して平行な方向への移動が規制されている。さらに、コイルばね６は、金網５により、斜めの姿勢にならないように沈下防止部材４に対して圧接されている。このため、コイルばね６は、沈下防止部材４と金網５
とに対して、垂直な姿勢を保持できる。また、平面状であって生育基盤３よりも硬い台座４ｅ上に配置されることにより、金網５と沈下防止部材４との間で、荷重の付加によるエネルギーを効率よく吸収し、充分に撓むことができるので、獣類の動作に追従して金網５を充分に浮き沈みさせることができる。
【００３１】
そして、所定の養生基間が経過すると、緑化工基盤７の生育基盤３からは、カバープラントが生育する。生育基盤３から生育した植物は、金網５に向かって伸び、やがて各網目を通って金網５の上方に突出する。この生育した植物を食べようとして、ニホンジカ等の獣類が緑化工基盤７に侵入を試みた場合にも、ニホンジカ等は金網５の端部を踏み込み、動くたびに撓む金網５を警戒する。このため、ニホンジカ等は金網５の内部まで侵入して、植物を採食することがない。また、コイルばね６は沈下防止部材４により、生育基盤３への沈下が防止されているため、緑化工基盤７の完成後、異なる複数の獣類が侵入を試みた場合にも、その踏み込みの度に、コイルばね６が生育基盤３に少しずつ沈下していくようなことがない。従って、長時間が経過した場合にも、コイルばね６の効果を継続させることができる。
【００３２】
また、獣類が内部まで侵入せずに、緑化工基盤７の比較的踏み込みやすい場所（例えば、端部等）に生育する植物を食べたとしても、金網５から突出した先端だけが食べられて、金網５の下の部分は食べられない。植物は地際で食害を受けると成長不良となるが、高い位置の部分だけ食べられると回復が早いので、金網５から突出した先端が食べられても食害をできるだけ小さくできる。また、植物の新芽等は金網５の下になり、食害を受けにくいので、食害により植物の成長が妨げられることを防止できる。
【００３３】
上記実施形態によれば、以下のような効果を得ることができる。
（１）上記実施形態では、生育基盤３上に配設された沈下防止部材４と金網５との間にコイルばね６を設け、金網５を生育基盤３から離間するように弾性支持するようにした。このため、ニホンジカ等の偶蹄目類に代表される獣類が緑化工基盤７に侵入しようとして、金網５を踏みこんだ際に、コイルばね６は、獣類の荷重によって弾性変形する。このとき、沈下防止部材４によって生育基盤３への沈下が抑制されるので、コイルばね６の撓み量を大きくすることができる。その結果、金網５が十分に浮き沈み（変位）するので、獣類は弾力感を感じて、違和感を覚える。また、金網５が浮き沈みすると、獣類にとって足元が不安定になり、歩きづらい状態になる。従って、獣類は警戒して緑化工基盤７上に侵入しなくなる。このため、獣類により生育基盤３上に生育した植物が採食される、いわゆる食害を防止することができる。また、獣類が金網５の上を歩き回るのを防止できるため、生育基盤３が踏み荒らされるのを防止することができる。また、沈下防止部材４によりコイルばね６の沈下を防止できるので、異なる複数の獣類による侵入の試みが繰り返されても、コイルばね６の効果を継続させることができる。このため、地山１に施工された緑化工の効果を発揮及び持続させることができる。
【００３４】
（２）上記実施形態では、沈下防止部材４を、コイルばね６下面に設置するようにした。このため、施工の煩雑化を防止できる。
（３）上記実施形態では、コイルばね６は、沈下防止部材４とともに、アンカーピンＰによって、生育基盤３に固定されている。このため、コイルばね６及び沈下防止部材４の法面２に対する位置ずれを防止できる。従って、コイルばね６は、沈下防止部材４と金網５との間で垂直な姿勢を保持することができるので、金網５を継続して弾性支持することができる。
【００３５】
（４）上記実施形態では、沈下防止部材４は、丸太材を半割りして、断面半月状の蒲鉾状に形成した。そして、その中央部を切削して、台座４ｅを形成するようにした。このため、沈下防止部材４の底面４ｄを生育基盤３に向けて配置することで、生育基盤３との接
触面積を大きくし、沈下防止部材４の法面２対するずれ、滑落を防止できる。また、沈下防止部材４の製造工程を少なくすることができる。
【００３６】
（５）上記実施形態では、沈下防止部材４を、木材から形成するようにした。このため、沈下防止部材４の一部が破損しても、その破損した木材を土壌に還元することができるので、環境に負荷を与えない。
【００３７】
尚、本実施形態は以下のように変更してもよい。
・上記実施形態では、緑化工基盤７に張設される金網５は、菱形の網目を有する、いわゆる菱形金網としたが、これを亀甲金網等にしてもよく、金網の種類は菱形に限定されない。
【００３８】
・上記実施形態では、金網５に、通常の亜鉛メッキ、又はアルミニウム合金を混合した亜鉛粉体塗料等を施した。また、コイルばね６には、亜鉛メッキ、アルミニウム合金塗装等を施した。これらの金網５及びコイルばね６には、これ以外の塗装方法を施してもよい。このとき、コイルばね６は、少なくとも光沢を有するような塗装が施されることが望ましい。
【００３９】
・上記実施形態では、金網５の各網目の長さＬ１，Ｌ２を、それぞれ４０〜６０ｍｍとしたが、要は獣類の足が嵌らないような大きさであればよい。このため、例えば、侵入防止の対象となる獣類によって、その大きさを変えてもよい。
【００４０】
・上記実施形態では、コイルばね６の外径は、５０〜７０ｍｍであって、高さは５０〜１００ｍｍであるとした。さらに、コイルばね６のばね定数は、６〜１０Ｎ／ｍｍであるとした。コイルばね６の構成は、これに限定されるものではなく、要はニホンジカ等の獣類が金網５を踏み込んだ際に、その獣類に弾力感を明確に与えるような構成であればよい。
【００４１】
・上記実施形態では、沈下防止部材４は、その長手方向が、法面２の水平方向と平行となるように配置した。これ以外に、沈下防止部材４の長手方向が、法面２の垂直方向（傾斜方向、図２中Ｙ方向）と平行となるように配置するようにしてもよい。
【００４２】
・上記実施形態では、沈下防止部材４は、その幅が約４００ｍｍ、高さが７０〜１００ｍｍであるとしたが、コイルばね６を安定して支持するとともに、金網５の浮き沈みを妨害しない大きさであればよい。また、沈下防止部材４に切削された凹部４ｂは、その底面４ｃの幅及び奥行きが、６０〜１２０ｍｍ、６０〜１００ｍｍとしたが、コイルばね６の外径に応じて変更してもよく、コイルばね６を安定して支持できればよい。また、凹部４ｂの高さは２０〜７０ｍｍとしたが、コイルばね６を凹部４ｂに配置した際に、コイルばね６の上端が沈下防止部材４の外周面４ａから突出できる高さ（深さ）であればよい。
【００４３】
・上記実施形態では、沈下防止部材４の凹部４ｂは、２箇所が開口状態になっているが、４つの周壁面と底面とを有する形状に形成してもよい。この場合、コイルばね６が何らかの原因によりずれた場合にも、その周壁面で、大幅な位置ずれを防止できる。
【００４４】
・上記実施形態では、沈下防止部材４の中央に、アンカーピンＰを打ち込むための孔を形成するようにしてもよい。
・上記実施形態では、沈下防止部材４は、蒲鉾状に形成するようにしたが、単なる板状等、その他の形状に形成するようにしてもよい。
【００４５】
・上記実施形態では、生育基盤３の上に、藁をすだれ状に編んだ被覆材（図示せず）を
敷設するようにしてもよい。そして、その上に、沈下防止部材４、コイルばね６及び金網５を配設するようにしてもよい。この場合にも、沈下防止部材４により、コイルばね６の生育基盤３への沈下を防止するとともに、コイルばね６に獣類の荷重によるエネルギーを効率よく吸収させて撓み量を大きくすることができる。
【図面の簡単な説明】
【００４６】
【図１】本実施形態の緑化工法を施工した法面を説明するための斜視図。
【図２】同法面を説明するための説明図。
【図３】同法面の縦断面図。
【図４】同法面に配置される沈下防止部材及びコイルばねの斜視図。
【図５】同沈下防止部材及び同コイルばねのを配置した状態の説明図。
【符号の説明】
【００４７】
２…法面、３…生育基盤、４…沈下防止部材、４ｂ…凹部、５…保護網としての金網、６…弾性部材としてのコイルばね、７…緑化構造物としての緑化工基盤、Ｐ…アンカーピン。
【図１】
2007104940.tif 000003
【図２】
2007104940.tif 000004
【図３】
2007104940.tif 000005
【図４】
2007104940.tif 000006
【図５】
2007104940.tif 000007